(57)【要約】【目的】飛入球を受け入れる振り分け室の内部に複数の入賞口と振り分け台を備え、飛入球をこの振り分け台でいずれかの入賞口に振り分け誘導するようにした可動入賞装置における球詰まりを解消すること。【構成】飛入球を受け入れる振り分け室１７の内部に一般入賞口３８と特別入賞口３９、及びこれらの入賞口に飛入球を振り分ける振り分け台１８を備えてなる入賞装置１１において、前記振り分け台１８の上面を前部１８ｂを低く、後部１８ａを高くして段差を設けて二分すると共に、低い前部１８ｂを整列用通路部４２とする。そして、前記振り分け室１７に飛入する球を前記振り分け台１８で振り分ける際に、前記後部１８ａに乗る球を段差により前部１８ｂに落とし、前記整列用通路部４２において一列に整列させ、この状態で振り分け台１８の端部に誘導するようにして前記両入賞口３８，３９に送り込まれる球の球詰まりを解消する。【選択図】        図６
2005124703.tif 000002
【特許請求の範囲】
【請求項１】
飛入口に蝶着する開閉扉を介して遊技盤面に沿って落下するパチンコ球を振り分け室に受け入れ、該振り分け室に左右の端部を上下に揺動する如く軸支する振り分け台で振り分け室の左右に開口する一般入賞口と特別入賞口のいずれかに振り分け誘導するようにしてなる入賞装置において、
前記振り分け台の上面を後部を高く前部を低くして左右長さ方向に沿って段差を設け、該振り分け台上に飛入球の整列用通路部を形成することを特徴とした入賞装置。
【請求項２】
請求項１の記載において、振り分け台は上面後部の前後の幅員をパチンコ球の半径より小さくすることを特徴とした入賞装置。
【請求項３】
請求項１又は２の記載において、振り分け台は上面の後部と前部の段差を少なくとも２ｍｍ以上にすることを特徴とした入賞装置。
【請求項４】
請求項１乃至３の記載において、振り分け台は上面の後部の少なくとも一般入賞口に臨む端部の前縁を斜め後方に向けて傾斜させ傾斜縁部とすることを特徴とした入賞装置。
【発明の詳細な説明】
【技術分野】
【０００１】
本発明は、パチンコ機の入賞装置に関するもので、更に詳しくは飛入口の内側に振り分け室を備え、この振り分け室に設ける振り分け台で飛入した入賞球を異なる入賞口に振り分け、例えば入賞球の価値に差を付けるようにした入賞装置の改善に関するものである。
【背景技術】
【０００２】
飛入口から飛入した入賞球を一旦振り分け室に受け入れ、この振り分け室の内部に備える振り分け台で飛入した入賞球を２つの通路のいずれかに振り分け誘導する入賞装置は例えば特開２００１−６５７号公報（特許文献１）、その他によって広く知られるものとなっている。
この振り分け台（前記公知例においては「揺動板」に相当する。）を備えた入賞装置は、飛入口の前面に上下に揺動開閉する扉（球受部材）を備え、この扉が前方に開放したとき遊技盤面に沿って落下するパチンコ球を受け止め扉の傾斜に従って飛入口に誘導し、その内側に備える振り分け室に導き入れる構造になっている。
そして、振り分け室内部に備えられる振り分け台（揺動板）は、横長に形成して中央の支軸を支点にして左右の端部を上下に揺動させ、下向きになった側に飛入した入賞球を誘導してこの端部に向けて開口する入賞口に送り込むようにしてある。
【０００３】
一般には前記振り分け台の左右の端部に臨ませて一方には一般入賞口を、他方には特別入賞口を開設して、通常時は上記振り分け台を一般入賞口側に傾けて飛入球をこれに誘導し、設定する特別の条件が整ったときこの振り分け台の傾きを特別入賞口側に変えてこれに飛入球を誘導するようにして、予め設定する条件に従って飛入した入賞球に対して価値に差を付けるようにしている。
【０００４】
この入賞装置は飛入口前面に備える扉を開放し、この扉を球受け台として落下する打球（パチンコ球）を受け入れることから一時期に多量の入賞球を獲得できるものとなっている。このことから一般の入賞装置と比較して可変入賞装置と称されると同時に、多数の入賞球が入ることから大入賞装置とか、大入賞口と称されており、特別な条件が整ったとき扉を開放し、短時間に多量の入賞球を受け入れることになっている。
【０００５】
この様に前面に扉を備えた入賞装置、所謂大入賞装置は扉の開放に伴って多量の入賞球が飛入するため、受け入れた振り分け室内で球同志が押し合いになって球詰りを起す問題があった。
この球詰りは室内部に備える振り分け台に影響を及ぼし、例えば傾き方向を変更する指示を受けて一般入賞口側から特別入賞口側に姿勢変更する場合に、振り分け室に詰った球で振り分け台の揺動が阻害され、適正に振り分けが行われなかったり、或はこれによって故障の原因となったりすることがあった。
【０００６】
前記公知例（特許文献１）はこの球詰りを解消するため前記振り分け室に当る箱枠１０内の通路枠２３にガイドリブ２３ａを設け、球入口９（飛入口）に入って左右に揺動する揺動板３０（振り分け台）上に転入した球が複数個集ったとき、上記ガイドリブ２３ａで整列させ、一列に並ぶようにし、これにより揺動板３０によって各入賞口２４，２５に導かれる入賞球が球詰りを起さないようにしている。
【特許文献１】特開２００１−６５７号公報。明細書の段落００１６及び図面の図２、図３、図４。
【０００７】
しかし、このガイドリブ２３ａによる入賞球の整列方法は、揺動板３０の上方にガイドリブを突き出させて揺動板上の前後の間隔を球１個分の間隔に制限し、これによって飛入する入賞球を横一列に整列させるものであるが、これによるとガイドリブ２３ａの突き出しによって飛入する室の前後の空間が狭まるため開閉扉（球受部材１１）を介して多量に飛入する入賞球の受け入れができず、これが原因して球入口９において滞留し、球詰りを起す問題がある。
【０００８】
また、別の問題として前記ガイドリブ２３ａが揺動板３０の上方に突き出すことから傾斜側の端部とこのガイドリブ２３ａとの間に入賞球を噛み込む危険が生じ、これによって揺動板３０の揺動を止める問題、そして球詰りを起す危険がある。
【発明の開示】
【発明が解決しようとする課題】
【０００９】
従って、本発明は飛入口の内側に設けられる入賞球の振り分け室に振り分け台を設備して、この振り分け台によって入賞球を異なる通路、例えば一般入賞口に振り分け誘導するようにした入賞装置において、前記振り分け室内部で入賞球同志が衝合する等して球詰り状態を発生させるのを有効に防止し、円滑な振り分け誘導が行えるようにすること、そして、球詰りに伴って発生する振り分け台の誤作動や故障を未然に防止するようにした改善された入賞装置を提供することにある。
【課題を解決するための手段】
【００１０】
本発明は、上述の目的を達成するため入賞球を受け入れる振り分け室の内部に、左右の端部を上下動させ傾斜方向を変えることによって入賞球を振り分ける振り分け台を備えてなる入賞装置において、前記振り分け台の上面に段差を設け、この段差によって飛入し振り分け台上に転入した入賞球を横一列に整列させる整列用通路部を形成し、これによって前記振り分け室内部での球詰り状態を解消するようにした入賞装置を提供するものである。
【００１１】
更に本発明を詳述すると、その特徴とするところは、飛入口に蝶着する開閉扉を介して遊技盤面に沿って落下するパチンコ球を振り分け室に受け入れ、該振り分け室に左右の端部を上下に揺動する如く軸支する振り分け台で振り分け室の左右に開口する一般入賞口と特別入賞口のいずれかに振り分け誘導するようにしてなる入賞装置において、前記振り分け台の上面を後部を高く前部を低くして左右長さ方向に沿って段差を設け、該振り分け台上に飛入球の整列用通路部を形成することを特徴とした入賞装置を提供することにある。
【００１２】
また、本発明は前記振り分け台は上面後部の前後の幅員をパチンコ球の半径より小さくすることを特徴とした入賞装置を提供することにある。
【００１３】
また、本発明は前記振り分け台は上面の後部と前部の段差を少なくとも２ｍｍ以上にすることを特徴とした入賞装置を提供することにある。
【００１４】
また更に、本発明は前記振り分け台の上面の後部について、少なくとも一般入賞口に臨む端部の前縁部分を斜め後方に向けて傾斜させ、傾斜縁部とすることを特徴とした入賞装置を提供することにある。
【００１５】
上記本発明入賞装置において、振り分け室は、飛入口を通して飛入する入賞球が容易に飛び込むことができ、しかも振り分け台の傾きに従って左右いずれかの方向に導かれる際に円滑に内部で方向を変えられるようにパチンコ球の直径を超える奥行き幅をもって形成されることになる。この奥行き幅はパチンコ球の直径の２倍を超えないが、しかしこの幅は多数の入賞球が同時に飛入した場合、球同志の押し合いによって充分球詰り状態を作ることができる空間となる。
【００１６】
この振り分け室における奥行き幅は、前記公知例を含み同種の入賞装置において採用されているものであるが、結果的にこれが原因して球詰りを起すものとなっている。本発明はこの球詰りを振り分け室内部に備える振り分け台によって直接的に解消しようとするものである。
【００１７】
振り分け台は、振り分け室に収められることから当然のことながら室の平面積より小さく、従って奥行き幅も小さく形成されるが、振り分け室に転り込む入賞球の全てはこの上面に受けられ、その傾きに従って左右に振り分けられることになる。                    本発明は、この振り分け台の上面に前部と後部に分ける段差を設けて低い前部上面に整列用の通路部を形成し、飛入した入賞球が前部を超えて高い後部に乗ったとき、この入賞球を段差を利用して上記低い前部の通路部に落下誘導し、この通路部上で横一列に整列させながら、振り分け台の端部に臨むそれぞれの入賞口に円滑に誘導するようにしたことにある。
【００１８】
前記振り分け台上面の段差は、横長に形成される台の長さ方向に沿って略全長に亘り設けられる。そして、この段差を形成する後部の奥行き幅は入賞球の止まりを防止し、前部への転落を促すため球の半径、つまり５．５ｍｍ以下とし、更に後部から前部への転り移動を確実にするため高く形成される後部と低く形成される前部との段差を２ｍｍ以上にして転落を誘導し、併せて前部の整列用通路部に導かれた球が再び後部に戻るのを阻止するようにしている。
【００１９】
また本発明においては振り分け台上で前部の整列用通路部で一列に整列された入賞球が台の傾きによって端部に開口する入賞口に誘導される際、この端部上で流れが滞留しないため高い後部の前縁部分を後方に向けて斜めに切除し、傾斜縁部を形成して通路部の拡張を図り、迅速、且つ円滑に入賞口に転出するようにしている。尚、実際には入賞率に差をおくことから比較的多くの球を誘導する一般入賞口に臨む側の端部にこの傾斜縁部を形成することになる。
【００２０】
従って、本発明は上記の解決手段から明らかなように、飛入口から複数個の入賞球が飛入し、振り分け台上に転入したとき、これらの入賞球が台の傾きに従って端部に向けて同時に流れ落ちても、台の後部に乗った球は常に低い前部に移動すべく段差によって誘導されることになり、また、このとき前部に乗る球が優先して傾斜する端部に向けて流下し、その後に続いて後部に乗る球が通路部に転落してここで一列に整列され、入賞口へと誘導されることになり、球詰りの発生を未然に防止することになる。
【発明の効果】
【００２１】
以上の如く、本発明は同時に複数個の入賞球が振り分け室に飛入し、振り分け台の傾きに誘導されて入賞口に向けて集中することがあっても振り分け台に受けられた球は台上面の整列用通路部によって前部と後部の球が一列に整列されるため、球詰りによって入賞装置の機能を失うことも、又誤差動によって設定以外の賞球の放出があったり、或は故障の原因となるようなことがない。
【００２２】
しかも本発明入賞装置は、振り分け台上面に形成する段差によって直接的に解決する方法によるため、例えば前記公知例におけるガイドリブのように他の部材との位置関係を考慮する必要がなく、従って組立等製造面で有利である。
次に、本発明を実施の形態並びに実施例を通して更に説明し、その特徴とするところを明らかにする。
【発明を実施するための最良の形態】
【００２３】
開閉扉によって開閉される飛入口の後方内側に形成される振り分け室に支軸を支点に左右両端部を上下動させ、上面に乗る飛入球をその傾きに従って左右に振り分ける振り分け台を備えてなる入賞装置において、前記振り分け台は上面に後部を高くし、前部を低くしてその高低差を少なくとも２ｍｍ以上とする段差を設けて上面の前部に横の長さ方向に沿って整列用通路部を形成する。
そして、前記振り分け台上面の後部は奥行き幅をパチンコ球の半径より小さな５．５ｍｍ以下の幅員にして飛入球の乗り上げ状態の維持を困難にして、これにより後部に乗り上げた球を前記整列用通路部への転落を誘導し、一列に整列させ、振り分け室内部での飛入球の球詰りを防止しながら、振り分け台の左右両端に各開口する入賞口に対して振り分け誘導する球を円滑に送り込めるようにする。
【実施例１】
【００２４】
図１〜図９は本発明に係る入賞装置の実施例を示したものであり、図１は遊技盤に装着した使用状態の正面図、図２は拡大正面図、図３は拡大斜視図、図４は拡大平面図、図５は分解斜視図であり、図６は図５の部分を拡大して示した分解斜視図である。
図示するように、遊技盤１は前面の左半に打球を誘導する内外のレール２，３を配置し、これに対向して右半に前記レールに連続させて半円弧状の飾り枠４を配置して円形状の遊技部５を形成している。そして、この遊技部の上部中央部に大型の画面６を有する可変表示装置７を備え、この可変表示装置７を囲むようにして複数の入賞口８‥と風車９を配置し、前記画面６の直下に始動用入賞口１０を、そしてこの始動用入賞口１０の下に本発明に係る入賞装置１１を配置している。
【００２５】
入賞装置１１は、所謂大入賞装置として短時間に多量の入賞球の受け入れを可能にしたものであり、図示するように遊技盤１に取付けるための取付基板１２の中央部には飛入口１３を開設し、この飛入口１３に開放時に多くの打球を短時間に受け入れる開閉扉１４を備える。
飛入口１３は横長に開設してあり、開閉扉１４はこの飛入口１３の形状に合せて横長の板にしてあり、下端の両側を支軸１５，１５を介して飛入口１３の両側下端に設ける軸受け部１６，１６に枢着支持し、上記支軸１５，１５を支点にして上端を前後に揺動させ開閉動するようにしてある。
【００２６】
前記飛入口１３の内側、即ち取付基板１２の背面側には飛入球を受け入れ、異なる入賞口通路に振り分ける振り分け室１７が形成してあり、この振り分け室には振り分け台１８が備えてある。
上記振り分け室１７は飛入口１３に合せて横長に形成してあり、その奥行き幅はパチンコ球が容易に飛入できる幅、具体的にはパチンコ球の直径の２倍を超えない幅を以て形成してある。
【００２７】
図中、１９は前記振り分け室１７を形成し、併せて駆動源となる２つのソレノイド２０，２１、並びに入賞球の通過を検出する検出スイッチ２２，２３を取付けるためのブロック状をなす台枠であり、２４はこの台枠１９と協同して振り分け室１７を形成する底枠である。
台枠１９は、ここでは入賞装置の本体部を構成するものとなるもので、左右の側板２５，２６の上端間に上板２７を渡し、背面に背板２８を渡して開放する底部に前記底枠２４を嵌め付け、前方を開放した横長の箱形に形成して、これにより形成される内部の空間を振り分け室１７としている。
【００２８】
上記背板２８から突き出す２本のボス部２９，２９は底枠２４をネジ止めするための台である。台枠１９と底枠２４をネジ止めによって結合させたのち、背板２８に植設する支軸３０を振り分け台１８の底面に形成する軸受１８ｃに通してこれを揺動自由に取付け、振り分け室１７に収める。
【００２９】
前記一方のソレノイド２０は、振り分け台１８を揺動させるための駆動源である。このソレノイド２０はＬ字形の取付金具３１を介して前記台枠１９の後部に固定される。
このソレノイド２０のプランジャ３２には支軸３３を介して台枠１９に軸承されるＬ字形の連結腕３４の一端がピン３５によって接続され、この連結腕３４の他端３４ａが振り分け台１８の左端の後部に突き出す突起３６に臨むようにしてある。
【００３０】
連結腕３４の上記他端３４ａは断面コ字形に形成してあり、この凹部に前記突起３６を緩く嵌合して連結し（図７参照）、前記ソレノイド２０の励磁によってプランジャがばね３７に抗して引かれたとき、支軸３３を支点に前記他端３４ａを跳ね上げて前記突起３６を押し上げ、下降している振り分け台１８の左端を上昇させられるようにしてある。
【００３１】
図中３８は、振り分け室１７の背板２８の左端を切り欠いて形成した一般入賞口であり、３９は同じく右端に形成した特別入賞口である。
これらの入賞口３８，３９は振り分け台１８の端部に臨んで開設してあり、それぞれには通過する入賞球を検出 するための検出 スイッチ２２，２３を装着するための溝形をなす装着部４０，４１が設けてある。
【００３２】
振り分け台１８は、飛入口１３から飛び込む球をその傾きによって振り分け室１７の左右に振り分け、前記一般入賞口３８若しくは特別入賞口３９に誘導するものであり、図示するように左右方向に長さを有し、中央の軸受部１８ｃに通す支軸３０を支点にして左右両端を上下に揺動できるようにしてある。
この振り分け台１８は当然のことながら振り分け室１７の奥行き幅より狭い奥行き幅を以て形成してあり、その上面は略中央部を境にして後部１８ａと前部１８ｂに分けてこの間に段差を設け、前部１８ｂの上面を整列用通路部４２としている。
【００３３】
この実施例における振り分け台１８は上面の前後の幅員を略パチンコ球の直径（１１ｍｍ）に揃えてある。この内、後部１８ａの奥行き幅はその半径、つまり５．５ｍｍ以下の幅にしてこの部分にパチンコ球が止まるのを困難にしてある。そして、上記後部と前部の段差を２ｍｍ以上に設定し、後部１８ａから前部１８ｂに向けて確実に落下するようにしてあることに加えて、前部１８ｂの上面、即ち整列用通路部４２に一旦移行した球が再度後部１８ａの上面に戻らないようにしてある。
【００３４】
上記前後の段差は左右方向の全長に亘り形成してあり、振り分け台の上面のいずれに球が乗ってもこの段差によって通路部４２側に転がり移動するようにしてある。また、この実施例では振り分け室１７の両端に形成される入賞口３８，３９が後向きに開口することに合せて上記段部の両端を後方に後退させて後部１８ａの両端前縁部分が傾斜縁部４３，４４となるようにしてある。
尚、上記傾斜縁部をこの実施例では両端に形成する場合につき示しているが、一般入賞口３８と特別入賞口３９との間に入賞率に差を設けるため多くの入賞球を誘導する一般入賞口３８側にだけ設けることもある。また、ここではこの入賞率の関係から特別入賞口３９側の端部を他端、つまり一般入賞口３８側の端部より僅かに長く形成して振り分け台１８の傾きに関わらず常に特別入賞口３９への球の転入が困難になるようにしてある。
【００３５】
上記形成される各部は、入賞装置の本体部となる台枠１９を中心にして組立て、この台枠１９と取付基板１２を結合させることで入賞装置の組立を完成させることになる。
台枠１９に対して底枠２４を組付けるに当り、先に各入賞口３８、３９の装着部４０，４１に前方から検出スイッチ２２，２３を嵌め付け、その後底枠２４を嵌め入れてこれをねじ止めして組付ける。その後、支軸３０を介して振り分け台１８を振り分け室１７に収めると共に、台枠１９の後方に突き出す支柱４５を利用して取付金具３１を介してソレノイド２０を固定し、連結腕３４を支軸３３によって取付けるのに併せてその端部３４ａを前記振り分け台１８の突起３６に滑合させ、振り分け台１８とこれを駆動するソレノイド２０を中心とした組立を行う。
【００３６】
その一方、取付基板１２に対しては飛入口１３を塞ぐ開閉扉１４を支軸１５，１５の軸着により組付け、またこの開閉扉１４を駆動するソレノイド２１を台枠１９に取付金具４６を介して取付ける。
ソレノイド２１はばね４７で前方に付勢したプランジャ４８の先端を支軸４９で台枠１９の側面に軸着支持する揺動板５０にピン５１を介して回動自由に連結し、プランジャ４８の出入りによって上記揺動板５０の先端を上下に揺動できるようにする。
【００３７】
揺動板５０は先端を二又に形成してその凹部５２に前記開閉扉１４の右端に後方に向けて突き出す滑合片５３を受け入れ、連結する。
この揺動板５０と滑合片５３の連結は、取付基板１２の背面に台枠１９が固定されることによって行われる。ソレノイド２１は失磁状態にあるときばね４７の付勢でプランジャ４８が伸長し、揺動板５０の先端が下降する。これにより前記滑合片５３が引き下ろされ開閉扉１４を閉塞することになる。
【００３８】
台枠１９は、取付基板１２の背面に添わせねじ止めすることで一体に結合し組立てられるが、この結合によって台枠１９の開放した振り分け室１７は前面を塞がれて横長の空間となり、取付基板１２に開設した飛入口１３が前面中央に位置することになる。そして、飛入する入賞球を受け入れ、前記振り分け台１８に導くことになる。
尚、振り分け台１８は上記飛入口１３の位置より低く設置し、球の飛び込みの妨げにならないようにしてあり、また飛入する球は飛び込みの勢いによって振り分け台１８の傾きに関係なく両端部を越えて振り分け室１７の両端に開設する一般乃至特別の入賞口３８，３９に飛入することが可能にしてある。
【００３９】
図中、５４，５５は取付基板１２の前面に貼り付ける飾り板であり、５６，５７はこの飾り板の前面に備え入賞ポケット、５８，５９は各入賞ポケットに飛入した入賞球を遊技盤背後の入賞球通路（図示せず）に誘導する樋である。６０，６１は入賞球を検出するため樋５８，５９に組付ける検出スイッチである。そして、６２は前方に延ばす取付支柱６３を台枠１９の背面部にねじ止めして前記２つのソレノイド２０，２１を跨ぐようにして取付ける配線基板の取付台であり、６４はソレノイド２０，２１、検出スイッチ２２，２３、６０，６１に対する給電乃至信号の交信を行う各接続コネクタを備えたプリント配線基板である。
【００４０】
本発明入賞装置１１は上述の様に構成されるもので、この入賞装置は前述した所謂大入賞口と同様に遊技盤に配置され、ここでは可変表示装置７に連動して作動するように設定される。つまり、始動用入賞口１０へ打球が飛入し、遊技制御装置による抽選の結果、可変表示装置７に表示される図柄が「当り」を表示したとき、ソレノイド２１が励磁し、揺動板５０の揺動を介して飛入口１３の開閉扉１４が前方に向けて傾倒し開放して打球の飛入を可能にする。これと同時に他方のソレノイド２０が励磁して振り分け台１８を左上りに傾け、飛入口１３から飛入するパチンコ球を特別入賞口３９に優先的に振り向けることになる。
【００４１】
そして、上記の状態において飛入した入賞球が前記特定入賞口３９に入ることにより継続して次なる開放が確定したとき、ソレノイド２０が失磁してばね３７の付勢により連結腕３４が前方に揺動し、前記振り分け台１８を左下がりに傾けて飛入球を一般入賞口３８に向けて優先的に誘導するようになる。
一般入賞口３８に飛入した球は検出スイッチ２２で通過数をカウントされることになる。ここで所定数、例えば１０個の通過球があったとき扉１４が閉じ、前記継続が確保されているとき、再度扉が開放すると共にソレノイド２０が励磁して振り分け台１８を右下がりに傾倒させることになる。そして、継続がないとき閉塞のままとなる。
【００４２】
この様な振り分け台１８の動きの中で、飛入口１３を通して同時に多数の入賞球の飛入があり、振り分け台上に乗り上げる状態が発生すると、台の傾き方向に誘導されるのに併せて低い前部１８ｂに乗った球はこの前部１８ｂによって形成される整列用通路部４２において強制的に一列に並ばされ、また高い後部１８ａに乗り上げた球は後部の奥行き幅が狭く乗り上げた状態を維持できないことから前部の整列用通路部４２へと転落移動し、該通路部上で先に並ぶ球の間に、或は球の後に入るようにして列に組込まれ一列に整列されることになり、この状態で端部に向けて誘導されることになる。
【００４３】
上記整列用通路部４２上で整列された球は後部１８ａとの間に段差があり、また後部１８ａの上面に球を止めて置く空間がないため戻ることはなく一列に整列した状態で台の端部に向いそれぞれの入賞口に送り込まれることになる。
従って、本発明装置によれば振り分け室１７の端部に開口する入賞口３８，３９に向けて複数個の入賞球が同時に飛入し、誘導された場合でも、球の押し合いによって球詰り状態を発生させることがなく、常に一列に揃った状態で順次円滑に送り込まれることになる。
【図面の簡単な説明】
【００４４】
【図１】本発明に係る入賞装置の使用状態を説明する正面図。
【図２】入賞装置の拡大正面図。
【図３】入賞装置の拡大斜視図。
【図４】入賞装置の拡大平面図。
【図５】入賞装置の分解斜視図。
【図６】図５の部分の拡大分解斜視図。
【図７】振り分け台とこれを作動するソレノイドとの関係を説明する拡大左側面図。
【図８】振り分け台の拡大斜視図。
【図９】振り分け台の拡大平面図である。
【符号の説明】
【００４５】
１１                本発明に係る入賞装置
１２                取付基板
１３                飛入口
１４                開閉扉
１７                振り分け室
１８                振り分け台
１８ａ              振り分け台の後部
１８ｂ              振り分け台の前部
１９                台枠
２０，２１          ソレノイド
２２，２３          検出スイッチ
２４                底枠
３０                振り分け台の支軸
３８                一般入賞口
３９                特別入賞口
４２                振り分け台の前部に当る整列用通路部
４３，４４          傾斜縁部
【図１】
2005124703.tif 000003
【図２】
2005124703.tif 000004
【図３】
2005124703.tif 000005
【図４】
2005124703.tif 000006
【図５】
2005124703.tif 000007
【図６】
2005124703.tif 000008
【図７】
2005124703.tif 000009
【図８】
2005124703.tif 000010
【図９】
2005124703.tif 000011